(57)【要約】      （修正有）【課題】ストッキングのベルト部に多数の凸状シリコンを配置することによって、圧迫感もなく、肌への負担を少なくし、簡易な構造により確実に着衣のずれを防止する着衣の滑り止め構造を提供する。【解決手段】着衣の身体側への接触部にずれを防止する滑り止め手段を設けたストッキングの滑り止め構造であって、その滑り止め手段は、ストッキングのウエストバンド部に沿ってシリコンを粒状に配置している。あるいは、滑り止め手段は、先端側のシリコン製の柔軟層と、それを支持する基部側の硬度のある支持層とを有し、柔軟層と支持層を配置することによって、通気の隙間を確保している。【選択図】図１
2018145563.tif 000002
【特許請求の範囲】
【請求項１】
着衣の身体側への接触部にずれを防止する滑り止め手段を設けたことを特徴とする着衣の滑り止め構造。
【請求項２】
滑り止め手段として、シリコンを粒状に配置したことを特徴とする請求項１記載の着衣の滑り止め構造。
【請求項３】
滑り止め手段として、凹凸を有するシリコンを配置したことを特徴とする請求項１記載の着衣の滑り止め構造。
【請求項４】
滑り止め手段は、先端側のシリコン製の柔軟層と、それを支持する基部側の硬度のある支持層とを有し、
柔軟層と支持層を配置することによって、通気の隙間を確保したことを特徴とする請求項１又は３記載の着衣の滑り止め構造。
【請求項５】
滑り止め手段を、ストッキングのウエストバンド部に沿って配設したことを特徴とする請求項１〜４記載いずれか記載の着衣の滑り止め構造。
【発明の詳細な説明】
【技術分野】
【０００１】
本発明は着衣の滑り止め構造に関し、特に、ストッキングのベルト部に多数の凸状シリコンを配置することによって、圧迫感もなく、肌への負担を少なくし、簡易な構造により確実に着衣のずれを防止する着衣の滑り止め構造に関する。
【背景技術】
【０００２】
一般的にストッキングは、腰部から足先にかけて装着される下着として広く使用されている。
このストッキングは、着用して歩行や、ひざの屈伸を繰り返すことにより、左右、上下に伸縮あるいは引っ張られてずり落ちることがある。
特に、シルク、ナイロン、ポリウレタン、レーヨンなど滑らかなショーツの上から着用するとストッキングが滑ってしまい、ずり落ちの原因になる。
また、ストッキングは定型化されたいくつものサイズが量産されるものであり、その中から自己に適したものを選択して購入するが、必ずしも最適サイズが選択できるとは限らない。
かかる状況下、ストッキングのずれを防止する技術に関するものとして特許文献１、２の技術が提案されている。
【先行技術文献】
【特許文献】
【０００３】
【特許文献１】実用新案登録３０７９６０９号公報
【特許文献２】実用新案登録３０３１４０８号公報
【発明の概要】
【発明が解決しようとする課題】
【０００４】
特許文献１の技術は、シリコン樹脂をライン状にテープに加工した滑り止め構造であるが、テープにより通気性や透湿性が阻害されるため、発汗による水分がテープの滑り止め効果を著しく下げるという問題があった。
また、塗工したライン状のシリコン樹脂が凸形状となり、肌に凹形状の線が残るという問題もあった。
そして、特許文献２の技術は紐でストッキングのずり落ちを防止する技術であるが、紐の結び、あるいは取り外し作業に手間を要するという問題がある。
本発明は、かかる従来の問題を解決するためになされたもので、その目的とするところは、ストッキングのベルト部に多数の凸状シリコンを配置することによって、圧迫感もなく、肌への負担を少なくし、簡易な構造により確実に着衣のずれを防止する着衣の滑り止め構造を提供することにある。
【課題を解決するための手段】
【０００５】
前記目的を達成するための手段として、請求項１記載の着衣の滑り止め構造では、着衣の身体側への接触部にずれを防止する滑り止め手段を設けたことを特徴とする。
【０００６】
請求項２記載の着衣の滑り止め構造では、請求項１記載の着衣の滑り止め構造において、滑り止め手段として、シリコンを粒状に配置したことを特徴とする。
【０００７】
請求項３記載の着衣の滑り止め構造では、請求項１記載の着衣の滑り止め構造において、滑り止め手段として、凹凸を有するシリコンを配置したことを特徴とする。
【０００８】
請求項４記載の着衣の滑り止め構造では、請求項１又は３記載の着衣の滑り止め構造において、滑り止め手段は、先端側のシリコン製の柔軟層と、それを支持する基部側の硬度のある支持層とを有し、柔軟層と支持層を配置することによって、通気の隙間を確保したことを特徴とする。
【０００９】
請求項５記載の着衣の滑り止め構造では、請求項１〜４記載いずれか記載の着衣の滑り止め構造において、滑り止め手段を、ストッキングのウエストバンド部に沿って配設したことを特徴とする。
【発明の効果】
【００１０】
本発明の着衣の滑り止め構造では、着衣の身体側への接触部にずれを防止するシリコンを設けたので、弾力素材による圧迫感もない滑り止め構造が実現される。
シリコンとして、粒状または凹凸を有するシリコンを配置したので、シリコンがストッパーとして機能し、簡易な構造により着衣のずれを防止する。
滑り止め手段は、先端側のシリコン製の柔軟層と、それを支持する基部側の硬度のある支持層とを有しているので、柔軟層が身体側に当接してずれを防止し、基部側は硬度を有しているので柔軟層をしっかり支持する。
また、柔軟層と支持層によって、身体と着衣の間に隙間が形成されるので、この隙間を利用して通気部が確保される。
滑り止め手段を、ストッキングのウエストバンド部に沿って配設したので、歩行や、ひざの屈伸を繰り返しても、ストッキングは腰回りに確実に止着され、ずり落ちることはない。
【図面の簡単な説明】
【００１１】
【図１】第１実施例に係る着衣の滑り止め構造の説明図である。
【図２】第２実施例に係る着衣の滑り止め構造の説明図である。
【図３】シリコンの凹凸を示す説明図である。
【図４】柔軟層と支持層の凹凸を示す説明図である。
【発明を実施するための形態】
【実施例１】
【００１２】
第１実施例に係る着衣の滑り止め構造は、図１に示すように、ストッキング（着衣）に適用したものであり、このストッキング１は、ウエストバンド部２と、腹部，臀部および股部から左右の太もも部に連なる部分を被覆するパンティ部３と、左右の太もも部から下の部分を被覆する足被覆部４とを備えている。
ストッキングのパンティ部３及び足被覆部４は、ナイロン、ポリウレタンなどの伸縮性繊維のメッシュ編加工によって形成されている。
【００１３】
ウエストバンド部２は、ウエストを周囲して配置された幅数ｃｍのベルト状部である。
ウエストバンド部２には必要に応じてゴムが内装され、ウエスト回りにフィットするように伸縮性を有している。
【００１４】
ウエストバンド部２の内側、すなわち身体への当接側には粒状のシリコン５が所定間隔で多数配置されている。
シリコン５の形状は、底面がウエストバンドに固着されており、その底面から山状に突起した凸部とされている。
この凸部の大きさは、一例として、底面の直径３ｍｍ〜１０ｍｍ、高さ３ｍｍ〜８ｍｍの形状であり、頂点は滑らかに円く形成されている。
シリコン５の取り付け方法については、ストッキング１の製造時に、接着剤、加硫等の一般的方法によって取り付けられる。
【００１５】
このシリコン５が配置されていることにより、シリコン５がストッパーとして機能し、ストッキング１の着用時は、圧迫感もなく、ずれを防止する。
滑りやすい素材の下着の上からストッキングを着用した場合でも、歩行時、ひざの屈伸時に、ストッキングは腰回りに確実に止着され、ずり落ちは防止される。
【実施例２】
【００１６】
第２実施例の着衣の滑り止め構造は、図２に示すように、面状のシリコン５ａの一面側（身体への当接側）に凸部６と凹部７を形成し、その凹凸を形成したシリコン５ａをウエストバンド部に沿って配設した構成である。
凹凸は、図３に示すように、厚さ数ｍｍの面状（板状）のシリコンの一面側に、シリコンの成形時に型枠形成、あるいは、切削、切抜きにより形成したものである。
凹凸を密に施すことにより、身体への接触面積が増大し、直接肌に当接した場合でも、接触圧力が分散され、肌への圧迫痕が残らない。
作用、効果については前記第１実施例と同様である。
【実施例３】
【００１７】
第３実施例の滑り止め付きストッキングは、図４に示すように、シリコン製の柔軟層８と、それを支持する硬度のある支持層９からなる滑り止めをウエストバンド部に沿って配設した構成である。
この柔軟層８と支持層９を配置することによって、通気の隙間１０が確保されている。
本実施例の滑り止めは、シリコンを支持する支持部が間隔を置いて多数突起しており、それぞれの支持部の先端にシリコン５ｂが配置されている。
そのため、柔軟層８（シリコン５ｂ）は支持層９によって嵩上げされた状態で支持され、陥没した凹部によって隙間１０が形成され、この隙間１０によって通気部が確保されている。
つまり、柔軟層８が身体側に押圧してストッパーとして機能し、一方、このストッパーとストッキングの間には押圧しても潰れない支持層９が介在するので、この支持層９の凹部を利用して通気が確保される。
なお、シリコン製のストッパーと、ストッキングの間に支持層９を介在させる構成であれば、他の構成を採用することも可能であり、その場合であっても本発明に含まれる。
支持層９についてはシリコン以外の樹脂等で形成することも可能である。
その他の作用、効果については前記第１実施例と同様である。
【００１８】
以上、本発明の実施例を説明したが、本発明の具体的な構成はこの実施例に限定されるものではなく、発明の要旨を逸脱しない範囲における設定変更等があっても本発明に含まれる。
例えば、本実施例ではストッキングについて説明したが、ズボン、スカート、靴下等その他の着衣に適用することも可能である。
また、シリコンの柔軟度、形状については、適用する着衣の種類、形状等に応じて適宜設定することができる。
【符号の説明】
【００１９】
１  ストッキング
２  ウエストバンド部
３  パンティ部
４  足被覆部
５  シリコン
５ａ  シリコン
５ｂ  シリコン
６  凸部
７  凹部
８  柔軟層
９  支持層
１０  隙間
【図１】
2018145563.tif 000003
【図２】
2018145563.tif 000004
【図３】
2018145563.tif 000005
【図４】
2018145563.tif 000006